(57)【要約】【課題】蓋の上に食器等を置いたまま蓋を開けることができなかったり、蓋が邪魔となってシンクから食器等を取り出しにくいといった不便さを解消する。【解決手段】上部に開口部２１ａを有する洗浄槽（収容槽）２１と、所定の閉位置にて開口部２１ａを覆う蓋２２とを備え、洗浄槽２１に収容された収容物を洗浄等する食器洗浄機２０について、蓋２２の上面に物を載置したまま所定の移動経路で閉位置Ｐ１から上方へ移動可能な載置面２２ａを形成し、同載置面２２ａが上方へ移動したときに開口部２１ａを開放する構成とした。蓋の上に物を置いたまま蓋を開けることができ、かつ、容易にシンクから食器等の物を取り出して食器洗浄機等の食器洗浄等機器内に入れることが可能となる。【選択図】  図１
2004329250.tif 000002
【特許請求の範囲】
【請求項１】
上部に開口部を有する収容槽と、所定の閉位置にて同開口部を覆う蓋とを備え、同収容槽に収容された収容物を洗浄等する食器洗浄等機器であって、
上記蓋は、物を載置したまま所定の移動経路で上記閉位置から上方へ移動可能な載置面が上面に形成され、同載置面が上方へ移動したときに上記開口部を開放することを特徴とする食器洗浄等機器。
【請求項２】
上記蓋は、上記閉位置から上方へ移動した後に別の方向へ所定の開位置まで上記載置面に物を載置したまま移動可能とされていることを特徴とする請求項１に記載の食器洗浄等機器。
【請求項３】
本食器洗浄等機器は、カウンターに設けられたシンクに並設され、
上記蓋は、上記閉位置から上方へ移動した後に所定の開位置まで水平方向であって上記シンクが設けられた方向とは異なる所定の移動方向へスライド可能とされていることを特徴とする請求項１または請求項２に記載の食器洗浄等機器。
【請求項４】
上記カウンターに固定されたカウンター支持部材と、上記蓋を上記移動方向にスライドさせるレールと、同レールに固定されたレール支持部材と、下端部が同カウンター支持部材に対して回転可能に取り付けられるとともに上端部が同レール支持部材に対して回転可能に取り付けられて水平かつ上記移動方向に対して垂直な方向を回転軸として上記レールを上下移動可能とする起立部材とが設けられ、
上記起立部材は、上記閉位置にある蓋に上記移動方向への力が加えられると上記レールを上方へ移動させるとともに、上記閉位置から上方に移動した所定の上方位置にある蓋に上記移動方向とは反対方向への力が加えられると上記レールを下方へ移動させ、
上記レールは、上記上方位置にある蓋に上記移動方向への力が加えられると同蓋を上記開位置までスライドさせるとともに、上記開位置にある蓋に上記移動方向とは反対方向への力が加えられると同蓋を上記上方位置までスライドさせることを特徴とする請求項３に記載の食器洗浄等機器。
【請求項５】
上記蓋は、上記閉位置から上方へ移動した後に本食器洗浄等機器の蓋を開閉操作する操作者の標準位置を基準として手前方向へ所定の開位置までスライド可能とされていることを特徴とする請求項１〜請求項４のいずれかに記載の食器洗浄等機器。
【請求項６】
上記蓋は、上記閉位置から上方へ移動した後に所定の軸部材を中心として水平方向に回転することにより上記開口部の上方を開放可能とされていることを特徴とする請求項１または請求項２に記載の食器洗浄等機器。
【請求項７】
上記蓋は、上記載置面が形成された載置部と、一方の縁部が上記収容槽の上方に設けられたカウンターに対して回転可能に取り付けられるとともに反対側となる他方の縁部が同載置部に対して回転可能に取り付けられた傾動部と、同載置部が上下に移動するときに同載置面を水平に保つ水平保持機構とを備えることを特徴とする請求項１に記載の食器洗浄等機器。
【請求項８】
上記閉位置にある蓋に対して上方へ力を加える付勢手段が設けられていることを特徴とする請求項１〜請求項７のいずれかに記載の食器洗浄等機器。
【請求項９】
上記蓋は、上記閉位置から所定の開位置まで上方へ移動可能とされ、
動力を用いて上記蓋を上記閉位置から上記開位置まで上昇させる上昇手段が設けられていることを特徴とする請求項１に記載の食器洗浄等機器。
【請求項１０】
上記閉位置にあるときの上記蓋の載置面は、上記収容槽の上方に設けられたカウンターの上面の高さに合わせられていることを特徴とする請求項１〜請求項９のいずれかに記載の食器洗浄等機器。
【請求項１１】
上記収容槽の開口部に対して着脱可能に取り付けられて同開口部を塞ぐとともに、上記蓋が上記閉位置とされると当該蓋からの荷重により下方へ押さえられる内蓋が設けられていることを特徴とする請求項１〜請求項１０のいずれかに記載の食器洗浄等機器。
【請求項１２】
カウンターに設けられたシンクと、同シンクに並設された食器洗浄等機器とを備えるシステムキッチンであって、
上記食器洗浄等機器は、上部に開口部を有する収容槽と、所定の閉位置にて同開口部を覆う蓋とを備えるとともに、上記蓋は、物を載置したまま所定の移動経路で上記閉位置から上方へ移動可能な載置面が上面に形成され、同載置面が上方へ移動したときに上記開口部を開放することを特徴とするシステムキッチン。
【発明の詳細な説明】
【０００１】
【発明の属する技術分野】
本発明は、開閉可能な蓋を備える食器洗浄等機器およびシステムキッチンに関する。
【０００２】
【従来の技術】
従来、この種の食器洗浄等機器である食器洗浄機（食器洗い機ともいう）を備えるシステムキッチンは、シンクに食器洗浄機が並設されて一体的に構成されている。システムキッチンの使用者は、シンクに水切りかごを置いておき、この水切りかごに置かれた食器等を食器洗浄機の洗浄槽に入れてから、食器洗浄機を動作させる。ここで、トップオープン式の蓋を有する食器洗浄機の場合、洗浄槽の開口部を覆う蓋は一側面にヒンジが取り付けられており、ヒンジを回転中心として後方または側方に回転するように開閉する。従って、使用者は、閉じた蓋を回転させるように開けて、食器等を洗浄槽に入れることになる。
【０００３】
また、特許文献１に開示された技術が知られている。同技術では、食器洗浄機の洗浄槽の開口部を開閉自在に覆い、開放時に横のシンク側に移動し、封鎖時に開口部を水封する蓋体が設けられている。使用者は、閉じた蓋体を横のシンクの上までスライドさせて、食器等を洗浄槽に入れることになる。
【０００４】
【特許文献１】
特開２００１−２７５９１４号公報
【特許文献２】
特開２００１−２７５９１２号公報
【特許文献３】
特開２００１−２７５９１３号公報
【０００５】
【発明が解決しようとする課題】
上述した従来の技術においては、以下のような課題があった。
前者のトップオープン式の蓋を有する食器洗浄機では、蓋の上に食器、水切りかご、鍋、フライパン等が置かれていると、そのまま蓋を開けることができないため、狭いキッチンの中で蓋に置かれた物を別の場所に移動させなければならなかった。
後者の技術では、蓋の上に食器等を置いたまま蓋を移動させることはできるものの、シンクに置かれた食器等を食器洗浄機に移そうとして蓋をシンク側に移動させると、シンクの上にスライドしてきた蓋が邪魔となってシンクから食器等を取り出しにくいという問題点があった。
この他、特許文献２，３に開示された食器洗浄機も知られているが、蓋体が外箱の内部に収容されているため同蓋体に物を載せることができず、上述した問題を解決することはできない。
【０００６】
本発明は、上記課題にかんがみてなされたもので、蓋の上に物を置いたまま蓋を開けることができ、かつ、容易にシンクから食器等の物を取り出して食器洗浄機等の食器洗浄等機器内に入れることが可能な食器洗浄等機器およびシステムキッチンの提供を目的とする。
【０００７】
【課題を解決するための手段】
上記目的を達成するため、請求項１にかかる発明は、上部に開口部を有する収容槽と、所定の閉位置にて同開口部を覆う蓋とを備え、同収容槽に収容された収容物を洗浄等する食器洗浄等機器であって、上記蓋は、物を載置したまま所定の移動経路で上記閉位置から上方へ移動可能な載置面が上面に形成され、同載置面が上方へ移動したときに上記開口部を開放する構成としてある。
すなわち、蓋の上面に形成された載置面を所定の移動経路で所定の閉位置から上方へ移動させることが可能であり、載置面を上方へ移動させたときに収容槽の開口部が開放される。このとき、蓋の載置面に物を置いた（載置した）まま蓋を開けることができる。ここで、蓋の載置面の移動方向は上方であるため、シンクに置いた物を取り出して食器洗浄等機器の収容槽内に入れることは容易である。従って、蓋の上に物を置いたまま蓋を開けることができ、かつ、容易にシンクから食器等の物を取り出して食器洗浄等機器の収容槽内に入れることができる。
【０００８】
本食器洗浄等機器には、食器洗浄機、食器乾燥機、食器洗浄乾燥機が含まれる。
上記収容物を洗浄等することには、収容物を洗浄すること、収容物を乾燥させること、収容物を洗浄して乾燥させることが含まれる。
ここで、上記上方とは、厳密に上方向のみならず、上方向から斜めにずれた方向を含む。下方というときは、厳密に下方向のみならず、下方向から斜めにずれた方向を含む。以下も、同様である。
上記蓋は、上記閉位置から上方へ移動した後に別の方向へ所定の開位置まで上記載置面に物を載置したまま移動可能とされている構成としてもよい。蓋を収容槽の開口部の上方から別の開位置まで、載置面に物を置いたまま移動させることができるので、蓋を閉位置から上方にのみ移動させる場合よりも、さらに収容槽内に物を入れやすくなる点で有用となる。
【０００９】
その一例として、本食器洗浄等機器は、カウンターに設けられたシンクに並設され、上記蓋は、上記閉位置から上方へ移動した後に所定の開位置まで水平方向であって上記シンクが設けられた方向とは異なる所定の移動方向へスライド可能とされている構成としてもよい。すなわち、蓋の移動方向は、シンクが配置された方向とは異なっている。すると、蓋がシンクの上に位置しないため、シンクに置かれた物を取り出して食器洗浄等機器の収容槽内に入れることは容易である。
ここで、上記蓋をスライドさせることには、平行移動させる場合のみならず、蓋の姿勢を変えずに曲線状に移動させる場合等も含まれる。
【００１０】
その際、上記蓋は、上記移動方向への力が加えられると上記閉位置から上方へ移動した後に上記開位置まで引き出され、上記移動方向とは反対方向への力が加えられると上記閉位置まで戻されて上記開口部を覆う構成としてもよい。操作者が閉位置にある蓋に対して蓋の移動方向へ力を加える開操作を行うと、蓋は閉位置から上方へ移動した後に同方向へ引き出される。一方、開口部を開放した蓋に対して操作者が上記移動方向とは反対方向へ力を加える閉操作を行うと、蓋は閉位置まで戻されて開口部を覆う。従って、簡易な操作で蓋の載置面に物を置いたまま蓋を開閉操作することが可能となる。
簡易な具体的構成として、請求項４に記載した構成とすると、蓋をスムーズに開閉させることができる。
【００１１】
また、請求項５にかかる発明のように、上記蓋は、上記閉位置から上方へ移動した後に本食器洗浄等機器の蓋を開閉操作する操作者の標準位置を基準として手前方向へ所定の開位置までスライド可能とされている構成としてもよい。すなわち、収容槽の開口部を覆う所定の閉位置から蓋を上方へ移動させ、その後、上記手前方向へスライドさせて所定の開位置とすることが可能である。このとき、蓋の載置面に物を載せたまま蓋を開けることができる。ここで、食器洗浄等機器がシンクに並設されていても、蓋は操作者がいる方向に移動し、シンク側には移動しない。すると、蓋がシンクの上に位置しないため、シンクに置かれた物を取り出して食器洗浄等機器の収容槽内に入れることは容易である。
【００１２】
なお、上記水平方向とは、厳密に水平な方向のみならず、水平方向から斜めにずれた方向を含む。上記移動方向の反対方向とは、厳密に１８０°（度）異なる方向のみならず、その方向から斜めにずれた方向を含む。上記手前方向とは、厳密に手前の方向のみならず、手前方向に対して斜めにずれた方向を含む。以下も、同様である。
【００１３】
さらに、請求項６にかかる発明にように、上記蓋は、上記閉位置から上方へ移動した後に所定の軸部材を中心として水平方向に回転することにより上記開口部の上方を開放可能とされている構成としてもよい。すなわち、閉位置から蓋を上方へ移動させて水平方向に回転させることにより開位置とすることが可能である。このとき、蓋の載置面に物を置いたまま蓋を開けることができる。ここで、蓋は上方へ移動するため、シンクに置かれた物を取り出して食器洗浄等機器の収容槽内に入れることは容易である。
【００１４】
さらに、請求項７にかかる発明のように、上記蓋は、上記載置面が形成された載置部と、一方の縁部が上記収容槽の上方に設けられたカウンターに対して回転可能に取り付けられるとともに反対側となる他方の縁部が同載置部に対して回転可能に取り付けられた傾動部と、同載置部が上下に移動するときに同載置面を水平に保つ水平保持機構とを備える構成としてもよい。すなわち、載置面を有する載置部を上下に移動させると、傾動部の上記他方の縁部が回転するとともに上記一方の縁部が回転することにより、傾動部は同他方の縁部が上下して傾きが変わる。このとき、水平保持機構により載置面が水平に保たれるので、蓋の載置面に物を置いたまま蓋を開閉することができる。ここで、蓋の載置面が上方に移動するので、シンクに置かれた物を取り出して食器洗浄等機器の収容槽内に入れることは容易である。
請求項２に記載したように蓋を閉位置から上方へ出した後に別の方向へ移動させると蓋に物を置くことができる面をより広くとることができる点で有用である一方、請求項７に記載した構成とすると、台所の空間が狭い場合に同空間をより有効利用することができる点で有用である。
【００１５】
上述した構成のいずれについても、上記閉位置にある蓋に対して上方へ力を加える付勢手段が設けられている構成としてもよい。すると、蓋を開けるときの力が少なくて済むようになる。
【００１６】
むろん、上記蓋は、上記閉位置から所定の開位置まで上方へ移動可能とされ、動力を用いて上記蓋を上記閉位置から上記開位置まで上昇させる上昇手段が設けられている構成としてもよい。すると、蓋が自動的に開位置まで上昇するので、手で蓋を持ち上げる必要がなくなる。
上記構成とすると、蓋を閉位置から上方へ移動させた後に別の方向へ移動させる場合よりも蓋を開閉させる構造を簡素化させることができる点で有用であり、また、台所の空間が狭い場合に同空間をより有効利用することができる点で有用である。さらに、蓋に上記傾動部を設ける場合よりも物を載置することができる面をより広くとることができる点で有用である。
【００１７】
ところで、システムキッチンに適用して好適な例として、請求項１０にかかる発明は、上記閉位置にあるときの上記蓋の載置面は、上記収容槽の上方に設けられたカウンターの上面の高さに合わせられている構成としてある。カウンターと蓋の上面の高さが合わせられているので、蓋の上に物を置きやすくなる。
ここで、蓋の載置面は閉位置から上方へ移動するので、蓋の部分を開口としてカウンターを形成したときに、蓋を水平にスライドさせる場合のように一部が連続しないコ字状等の開口を形成する場合と比べて、連続しない部分のないロ字状等の開口によって対応することができるので、カウンターの強度を向上させることができるとともに、他機器等の入れ替えにも対応し易くすることができる。
【００１８】
上記収容槽の開口部に対して着脱可能に取り付けられて同開口部を塞ぐとともに、上記蓋が上記閉位置とされると当該蓋からの荷重により下方へ押さえられる内蓋が設けられている構成としてもよい。すると、収容槽内の水が蓋に付かないので、蓋を引き出したときに水滴が床等に落下しない。
上記移動方向に移動する上記蓋を所定の開位置で停止させるストッパ部材が設けられている構成としてもよい。すると、引き出された蓋が脱落しないので、利便性を向上させることができる。
【００１９】
過荷重対策として、上記蓋と連動してスライド可能とされるとともに同蓋が所定の開位置まで上記移動方向へスライドされたときに下側から当接することにより同蓋を支持する支持部材が設けられている構成としてもよい。すると、蓋を開位置としたときに下側から支持部材で支持することができる。
別の過荷重対策として、上記蓋に置かれた物の重量を検出する重量検出手段と、検出された重量が所定の重量以上またはより大であるときにその旨を通知する通知手段とが設けられている構成としてもよい。過荷重の目安として、蓋に置かれた物が所定の重量以上またはより大であることを知ることができる。
また、上記蓋が上記閉位置にあるか否かを検出する位置検出手段と、同蓋が同閉位置にあると検出されたときのみ上記収容槽に収容された収容物を洗浄可能な洗浄手段とが設けられている構成としてもよい。すると、蓋が開いているときには食器洗浄等機器は動作しない。
【００２０】
上記蓋における上面に開閉操作用の取っ手を設けてもよい。その一例として、上記蓋における上面には、所定の下降位置および上昇位置の間で上下動可能とされた開閉操作用の取っ手と、押す操作により同下降位置にある取っ手を同上昇位置まで上昇させる操作部材とが設けられている構成としてもよい。すると、操作部材を押す操作を行うことにより容易に開閉操作用の取っ手を上方へ引き出すことができるので、蓋を開閉操作しないときには取っ手を収容しておけばよく、蓋に物を置く際に取っ手が邪魔にならない。
また、上記操作者の標準位置を含む所定の範囲に人または物体が入ったことを検知する赤外線センサと、同所定の範囲に人または物体が入ったことが検知されたときに上記下降位置にある取っ手を上記上昇位置まで上昇させる取っ手駆動手段とが設けられている構成としてもよい。すると、蓋を開閉操作する標準位置に入ると自動的に取っ手が上方へ引き出されるので、利便性を向上させることができる。
なお、上記蓋が所定の開位置まで上記移動方向へスライドされたときに同移動方向とは反対側の縁部を回転中心として同蓋を回転させて同移動方向側の縁部を下側に向けさせることが可能な向き変更機構が設けられている構成としてもよい。移動方向へスライドさせた蓋を回転させて移動方向側の縁部を下側に向けさせることができるので、例えば台所の空間を有効に使用することが可能となる。
【００２１】
さらに、請求項１２にかかる発明のように、本発明をシステムキッチンに適用することも可能である。なお、請求項１〜請求項１１に記載された構成をシステムキッチンに対応させることも可能である。
【００２２】
【発明の効果】
以上説明したように、請求項１にかかる発明によれば、蓋の上に物を置いたまま蓋を開けることができ、かつ、容易にシンクから食器等の物を取り出して食器洗浄等機器の収容槽内に入れることが可能となる。
請求項２にかかる発明によれば、さらに収容槽内に物を入れやすくなるので、利便性を向上させることができる。
請求項３、請求項５〜請求項７にかかる発明によれば、簡易な構成を提供することができ、蓋の上に物を置いたまま蓋を開けることができ、かつ、容易にシンクから食器等の物を取り出して食器洗浄等機器の収容槽内に入れることが可能となる。
【００２３】
請求項４にかかる発明によれば、簡易な具体的構成を提供することができ、蓋の上に物を置いたまま蓋をスムーズに開閉させることができ、かつ、容易にシンクから食器等の物を取り出して食器洗浄等機器の収容槽内に入れることが可能となる。
請求項８にかかる発明によれば、蓋を開けるときの力が少なくて済むようになるので、利便性を向上させることができる。特に、蓋が重い場合に好適である。請求項９にかかる発明によれば、蓋を開閉させる構造を簡素化させることが可能となるとともに、手で蓋を持ち上げる必要がなくなるので、利便性を向上させることができる。特に、蓋が重い場合に好適である。
【００２４】
請求項１０にかかる発明によれば、蓋の上に物を置きやすくなるので、利便性を向上させることができる。
請求項１１にかかる発明によれば、蓋を引き出したときに水滴を床等に落下させないようにさせることが可能となる。また、食器洗浄等機器を運転させているときの音を低減させることができる。
請求項１２にかかる発明によれば、蓋の上に物を置いたまま蓋を開けることができ、かつ、容易にシンクから食器等の物を取り出して食器洗浄等機器の収容槽内に入れることが可能となる。
【００２５】
【発明の実施の形態】
以下、下記の順序に従って本発明の実施形態を説明する。
（１）システムキッチンの構成：
（２）システムキッチンの作用：
（３）変形例：
【００２６】
（１）システムキッチンの構成：
図１は、本発明の一実施形態にかかるシステムキッチン１００の外観を示している。なお、図の上方向を上方向、図の下方向を下方向、図の左上方向を左方向、図の右下方向を右方向、図の左下方向を前方向、図の右上方向を後方向としている。本明細書では、上下左右前後を説明するときには、図１を基準とする。
本システムキッチン１００は、カウンター３０に設けられた例えばステンレス製のシンク１１、水栓１２と、食器洗い機とも呼ばれる食器洗浄機（食器洗浄等機器）２０とを備えている。食器洗浄機２０は、シンク１１の右横に並設され、洗浄槽（収容槽）２１、蓋２２、図示されていない内蓋、操作パネル２４等を備えている。カウンター３０は、前側の縁部から下方に延出した前垂れ部３１と、後側の縁部から上方に延出したバックガード３２とを有し、洗浄槽２１の上方が開口とされ、蓋２２が設けられている。カウンター３０の上面３０ａは、調理等の作業面とされているので、システムキッチンとして機能的な構成とされている。
【００２７】
本カウンター３０は、人工大理石製であり、例えば、不飽和ポリエステル樹脂やアクリル樹脂などのマトリックス樹脂と、水酸アルミニウムやガラスビーズと無機フィラー等の無機質化合物等とを混合した注型用樹脂から構成されている。むろん、人工大理石以外の樹脂を用いてカウンターを形成してもよいし、ステンレス等、樹脂以外の材料でカウンターを形成してもよい。
【００２８】
図２は、洗浄槽と内蓋の外観を示している。洗浄槽２１は、主要部が例えばステンレス製で略箱形とされ、上部に開口部２１ａを有するとともに、食器等の収容物２０ｂを収容する収容部２１ｂが形成されている。同開口部２１ａの周囲となる洗浄槽の上面２１ｃは、略水平とされている。
内蓋２３は、樹脂製とされ、洗浄槽の開口部２１ａに対して、例えば洗浄槽２１の後部から上方に延出するように取り付けられた一対のヒンジ２３ｄ，２３ｄに開閉可能に取り付けられて同開口部２１ａを塞ぐようになっている。むろん、内蓋にヒンジを設けずに、開口部２１ａに対して着脱可能に取り付けるようにしてもよい。具体的には、洗浄槽２１には上面２１ｃの内側に一段下側に低くなった内蓋収容部２１ｄが形成されており、内蓋２３の下部２３ｂが上側から同内蓋収容部２１ｄに収容されるようになっている。内蓋２３には、周囲に延出した延出部２３ｃが形成されている。図示していないが、この延出部２３ｃにおける後部にヒンジ２３ｄ，２３ｄの上部を挿入可能な一対の挿入穴が形成されており、同挿入穴にヒンジ２３ｄ，２３ｄの上部が挿入されると、内蓋２３は後側となるヒンジ２３ｄ，２３ｄの部分を回転軸として開閉可能とされる。
内蓋の下部２３ｂが内蓋収容部２１ｄに収容されたとき、上記延出部２３ｃの下面が洗浄槽の上面２１ｃに接触するようになっており、このとき、内蓋２３の外周壁２３ａの上端は、カウンター３０の下面から後述する蓋支持金具（図６の蓋支持金具５４）の厚みだけ下側とされている。また、内蓋２３の上面２３ｅは、中央が上方に突出した、例えば寄せ棟状に形成されており、内蓋２３の上面２３ｅ及び下面（図示せず）の水切りや洗浄槽２１内の収納量を増加させる機能を有し、蓋２２と内蓋２３の上面２３ｅとの間に形成される空間は、洗浄槽２１からの伝熱による乾燥空間として機能する。更には、蓋２２の他に内蓋２３を設けたことにより、食器洗浄機を運転させているときの音を低減させることができるとともに、蓋を引き出したときに水滴が床等に落下しないようになる。
【００２９】
主要部が人工大理石製とされた蓋２２は、平板状とされ、上面に食器等の物２０ａを載置可能な載置面２２ａが形成されている。そして、図１の実線で示した所定の閉位置Ｐ１と、一点鎖線で示した所定の開位置Ｐ２と、の間で、所定の移動経路（図中、両矢印で図示）で往復動可能とされている。ここで、閉位置Ｐ１にあるときの蓋の載置面２２ａは、カウンターの上面３０ａの高さに合わせられており、同載置面２２ａと同上面３０ａとは水平方向の略同一平面とされている。このように、カウンターと蓋の双方の上面が合わせられているので、蓋の上に物を置きやすく、便利である。
【００３０】
図３は蓋２２の動きを右側から見て示した右側面図であり、図４は開位置Ｐ２にある蓋２２とともに洗浄槽２１とカウンター３０を上から見て示した上面図である。図３に示すように、蓋２２は、閉位置Ｐ１から所定の上方位置Ｐ３（図３では二点鎖線で図示）まで上方へ移動した後に、別の方向である手前方向（所定の移動方向）へ開位置Ｐ２まで載置面２２ａに物を載置したまま水平方向であって前後方向に平行移動（スライドの一種）可能とされている。ここで、蓋２２は、閉位置Ｐ１にあるときに洗浄槽の開口部２１ａを覆い、蓋の載置面２２ａが上記移動経路で上方へ移動したときに洗浄槽の開口部２１ａを開放する。
蓋における上面（載置面２２ａ）には、上方に向かって突出した開閉操作用の取っ手２２ｂ（例えば金属製）が前側縁部の中央部分に設けられている。システムキッチン１００の使用者は、シンク１１の前であって食器洗浄機２０に隣接した標準位置（蓋を開閉操作する操作者の標準位置）Ｐ４に立って、取っ手２２ｂを手で握って蓋２２を開閉操作するようになっている。標準位置Ｐ４は、取っ手２２ｂを主として右手で持つことを前提としているため、閉位置Ｐ１にあるときの蓋２２の左前である。
【００３１】
図５は蓋が開位置にあるときにシステムキッチン１００を図４のＡ１の方向から見て示した要部断面図であり、図６は蓋が閉位置にあるときにシステムキッチン１００を図４のＡ１に相当する方向から見て示した要部断面図である。また、図７は蓋が開位置にあるときにシステムキッチン１００を図４のＡ２の方向から見て示した要部断面図であり、図８は蓋が閉位置にあるときにシステムキッチン１００を図４のＡ２に相当する方向から見て示した要部断面図である。図７では、蓋２２の上方位置Ｐ３を二点鎖線で示している。また、図７と図８では、カウンター３０の位置を二点鎖線で示している。
【００３２】
カウンター３０の下面３０ｂには、洗浄槽の開口部２１ａの周囲で下方に向かって延出した金属製のカウンター支持金具４１の上面が接着されて固定されている。カウンター支持金具４１の下端部４１ａは、洗浄槽の上面２１ｃの形状に合わせて内側に水平に折曲され、洗浄槽の上面２１ｃの位置の周囲に形成された固定部２１ｅに固定されている。従って、カウンター３０は、カウンター支持金具４１により洗浄槽２１に支持されているとも言える。
カウンター支持金具４１の内側であって洗浄槽の開口部２１ａの左右外側に、それぞれ前後方向に向けて配置された金属製のスイング支持金具４３，４３が設けられ、ねじによりカウンター支持金具４１における下端部４１ａの上面に固定されている。これらにスイング支持金具４３，４３は、四角柱状とされ、前後方向に対して垂直な断面が長辺を上下方向に向けた長方形とされている。
すなわち、上記部材４１，４３は、カウンター３０に固定されたカウンター支持部材とされている。
【００３３】
蓋２２の下面２２ｃの左右縁部には、それぞれ前後方向に向けられて蓋２２を前後方向にスライドさせる金属製のレール５０，５０が取り付けられて固定されている。同レール５０，５０のガイドレール５１，５１には、それぞれ前後方向に向けて配置された金属製のレール支持部材６０，６０が図示しないねじにより固定されている。これらのレール支持部材６０，６０は、四角柱状とされ、前後方向に対して垂直な断面が長辺を上下方向に向けた長方形とされている。
同レール支持部材６０，６０には、それぞれ２個ずつ金属製の起立部材７０の上端部が回転可能に取り付けられている。図７を参照すると、右側の起立部材７０には、前側の起立部材７１と後側の起立部材７２とがあり、各起立部材７０の上端部７１ａ，７２ａがレール支持部材６０の側面に対して回転可能にねじ止めされている。また、各起立部材７０の下端部７１ｂ，７２ｂがスイング支持金具４３の側面に対して回転可能に取り付けられている。ここで、各起立部材７１，７２は、上端部と下端部との間隔が同じとされ、上端部と下端部とを結ぶ線が平行とされているので、平行クランクが構成されている。従って、ガイドレール５１は円弧状の所定の移動経路で移動して上方に引き出されたり、同じ円弧状の所定の移動経路で移動して下方に戻るようになっている。すなわち、起立部材７０は、水平かつ前後方向に対して垂直な方向を回転軸としてレール５０を前後方向に向けたまま円弧状に上下移動可能とさせる。
【００３４】
また、図７に示す各起立部材７１，７２が起立した状態において、各起立部材の下端部７１ｂ，７２ｂからは、前方に前方延出部７１ｃ，７２ｃが延出している。各起立部材の上端部７１ａ，７２ａと下端部７１ｂ，７２ｂとの中間部分からは、後方に後方延出部７１ｄ，７２ｄが延出している。そして、図８に示すように蓋２２が閉位置Ｐ１にあるときには後方延出部７１ｄ，７２ｄがカウンター支持金具の下端部４１ａの上面に当接し、図７に示すように蓋が上方位置Ｐ３〜開位置Ｐ２にあるときには前方延出部７１ｃ，７２ｃがカウンター支持金具の下端部４１ａの上面に当接するようになっている。なお、図８に示すように、後方延出部７１ｄ，７２ｄがカウンター支持金具の下端部４１ａに当接しているときでも、上端部７１ａ，７２ａは下端部７１ｂ，７２ｂよりも上側となるようにしてある。
さらに、後側の起立部材７２の前方延出部７２ｃには、弾性部材であるつる巻きばね７３の一端が取り付けられている。なお、左側の起立部材７０における後側の起立部材の前方延出部にも、図示しないつる巻きばねの一端が取り付けられている。同ばね７３の他端は、スイング支持金具４３の側面（左側面）に形成された掛止部４３ａに取り付けられている。ここで、後方延出部７２ｄがカウンター支持金具の下端部４１ａに当接しているときには前方から下側に傾いた力Ｆ１を同後方延出部７２ｄに加える。
なお、左側の起立部材７０とつる巻きばねの構造も同様である。
【００３５】
図９は、左側のレール５０を右側から見て示した右側面図である。左側のレール支持部材６０の側面（左側面）には、ガイドレール５１が前後方向に沿って固定されている。同ガイドレール５１は、断面が略コ字形とされ、蓋２２の移動方向に沿って中間スライダ５２をスライド可能に収容するガイド溝５１ａを有している。ガイド溝５１ａの上下には、多数のボール５１ｂが回転可能に埋め込まれており、ガイドレール５１の前端には、後方向に折り返されたガイド側ストッパ５１ｃが形成されている。一方、前後方向に平行移動可能とされた中間スライダ５２の後側には、ガイド側ストッパ５１ｃを挿入可能なスライダ側ストッパ５２ｃが設けられている。
上記中間スライダ５２は、断面が略コ字形とされ、蓋２２の移動方向に向けられてスライドレール５３をスライド可能に収容するガイド溝５２ａを有している。ガイド溝５２ａの上下には、多数のボール５２ｂが回転可能に埋め込まれており、中間スライダ５２の前端には、後方向に折り返されたスライダ側ストッパ５２ｃが形成されている。一方、前後方向に平行移動可能とされたスライドレール５３の後側には、スライダ側ストッパ５２ｃを挿入可能なスライド側ストッパ５３ａが設けられている。
【００３６】
上記スライドレール５３の側面（右側面）には、前後方向に延びた金属製の蓋支持金具５４が図示しないねじにより固定されている。図６に示すように、蓋支持金具５４，５４は、前後方向に対して垂直な断面がＬ字形とされ、垂直面の左右外側にそれぞれスライドレール５３が取り付けられているとともに、水平面の上側が蓋２２の下面２２ｃの左右縁部に図示しないねじによりそれぞれ固定されている。
なお、右側のレール５０の構造も同様である。
【００３７】
以上の構成により、蓋２２は、操作者の標準位置Ｐ４を基準として手前方向への力が取っ手２２ｂに対して加えられると、所定の移動経路で、閉位置Ｐ１から上方位置Ｐ３まで上方へ張り出すように出た後に、開位置Ｐ２まで水平方向であってシンク１１が配置された方向とは異なる手前方向へ引き出される。また、後方向（手前方向とは反対方向）への力が取っ手２２ｂに対して加えられると、蓋２２は、開位置Ｐ２から上方位置Ｐ３まで水平方向であって後方向へスライドした後に、所定の移動経路で、閉位置Ｐ１に戻って洗浄槽の開口部２１ａを覆う。
【００３８】
蓋を製造する際には、まずカウンターを成形し、その後蓋の部分を切断して研磨する等の加工を行ってもよい。むろん、蓋のみを成形して製造してもよい。カウンターについても、成形した後に蓋の部分を切断して研磨する等の加工を行ってもよいし、予め蓋の部分を除いた形状に成形して製造してもよい。
なお、蓋の部分を開口としてカウンターを形成するとき、蓋を水平にスライドさせると構造が簡易になる点で有用となる一方、カウンターの端部まで（例えば蓋を手前方向に引き出す場合にはカウンターの前端まで）開口を形成する必要があるため、カウンターの強度は開口の部分で比較的弱くなる。本実施形態のように、蓋を閉位置から上方へ移動させるようにすると、カウンターの端部まで開口を形成する必要がないため、蓋を水平にスライドさせる場合と比べてカウンターの強度を大幅に向上させることが可能になるとともに、他機器への入れ替えにも対応し易くすることができる。
【００３９】
図５の状態において内蓋２３で開口部２１ａを塞ぎ、蓋２２を閉位置Ｐ１とすると、図６に示すように内蓋２３は蓋２２の下面に取り付けられた蓋支持金具５４における下方に延出した部分を除く下面と洗浄槽２１の内蓋収容部２１ｄの上面との間で挟まれる。これにより、内蓋２３は蓋２２からの荷重により下方へ押さえられ、洗浄槽の収容部２１ｂを密閉することができる。そして、食器洗浄機２０は、洗浄槽２１に収容された収容物２０ｂを洗浄する。
【００４０】
（２）システムキッチンの作用：
次に、本発明の食器洗浄機を有するシステムキッチンの作用を説明する。
図８に示すように蓋２２が閉位置Ｐ１にあるとき、取っ手２２ｂを持って手前方向に力を加えると、起立部材７０は、上端部７１ａ，７２ａが下端部７１ｂ，７２ｂより上側にあるので、下端部７１ｂ，７２ｂを中心として図の左回りに回転する。すると、起立部材７１，７２により構成される平行クランクにより、起立部材の前方延出部７１ｃ，７２ｃがカウンター支持金具の下端部４１ａに当接するまで、レール５０とともに蓋２２を手前方向に向けて円弧状の経路で移動させる。なお、つる巻きばね７３が後側の起立部材の前方延出部７２ｃに対して前方から下側に傾いた力Ｆ１を加えるので、閉位置にある蓋２２に対して若干ながら上方へ力が加えられ、蓋２２の上方への移動が容易となる。同前方延出部７１ｃ，７２ｃがカウンター支持金具の下端部４１ａに当接すると、蓋２２は上方位置Ｐ３（図７では二点鎖線で図示）となる。ここで、蓋の載置面２２ａは、物を載置したまま所定の移動経路で閉位置Ｐ１から上方へ移動し、洗浄槽の開口部２１ａを開放する。
【００４１】
上方位置Ｐ３にある蓋２２に対してさらに手前方向へ力を加えると、図３に示すように、蓋２２は開位置Ｐ２までガイドレール５１と中間スライダ５２に案内されて水平方向であって手前方向にスライドして引き出される。スライドレール５３は回転するボール５２ｂに接触して中間スライダ５２に案内され、同中間スライダ５２は回転するボール５１ｂに接触してガイドレール５１に案内されるので、容易に蓋２２を引き出すことができる。そして、ガイドレール５１のガイド側ストッパ５１ｃと中間スライダ５２のスライダ側ストッパ５２ｃとが掛止し、中間スライダ５２のスライダ側ストッパ５２ｄとスライドレール５３のスライド側ストッパ５３ａとが掛止すると、蓋２２は開位置Ｐ２となる。このときも、蓋２２は姿勢を変えずに平行移動するので、蓋の載置面２２ａの上に物を載せたまま蓋２２を前方へスライドさせることができる。
【００４２】
蓋２２が開位置Ｐ２となると、閉位置Ｐ１の上方が完全に開放されるので、洗浄槽の開口部２１ａを覆っている内蓋２３が取り外し可能となる。このとき、蓋２２は姿勢を変えずに平行移動するので、従来のトップオープン式の蓋を有する食器洗浄機のように蓋の上に置かれた物を狭い台所の中で別の場所へ移す必要はなく、蓋の載置面２２ａの上に食器等の物２０ａを載せたまま蓋２２を開けることができる。
また、洗浄槽の開口部２１ａを内蓋２３が覆っているので、洗浄槽２１内で洗浄する際の水が蓋に付かず、蓋を引き出したときに水滴を床等に落下させないようにさせることが可能となる。
【００４３】
その後、洗浄槽２１から内蓋２３を取り外すと、開口部２１ａが開口し、シンク１１の水切りかご内に置かれた食器等の物１１ａを洗浄槽の収容部２１ｂに移すことができる。ここで、上方に出た蓋２２の移動方向は手前方向であり、シンク１１が設けられた左方向とは異なっている。すると、蓋２２がシンク１１の上とならないため、蓋をシンクの上にスライドさせる従来の食器洗浄機のようにシンクから食器等の物を取り出しにくいという不便さが無くなり、シンクに置かれた物１１ａを取り出して洗浄槽の収容部２１ｂに入れることが容易である。従って、蓋の上に物を載せたまま蓋を開けることができ、かつ、容易にシンクから物を取り出して洗浄槽内に入れることができる。
むろん、蓋の載置面の移動方向が上方であることのみによっても、シンクに置かれた物を取り出して食器洗浄機の洗浄槽内に入れることが容易となる。上述したように、蓋を洗浄槽の開口部の上方から別の開位置まで移動させると、蓋を閉位置から上方にのみ移動させる場合よりも、さらに洗浄槽内に物を入れやすくなる点で有用となる。
【００４４】
開位置Ｐ２にある蓋２２に対して後方向に力を加えると、図３に示すように、蓋２２は上方位置Ｐ３までガイドレール５１と中間スライダ５２に案内されて水平方向であって後方向にスライドして戻る。スライドレール５３はボール５２ｂに接触して中間スライダ５２に案内され、同中間スライダ５２はボール５１ｂに接触してガイドレール５１に案内されるので、容易に蓋２２をスライドさせることができる。なお、中間スライダ５２からガイドレール５１へ加えられる後方向の摩擦力によって起立部材の上端部７２ａには後方向の力Ｆ３が生じることになるが、つる巻ばね７３が起立部材７２の前方延出部７２ｃを前方向へ引っ張ることにより、起立部材７２は即座には右回りに回転しない。
このときも、蓋２２は姿勢を変えずに平行移動するので、蓋の載置面２２ａの上に物を載せたまま蓋２２を後方へスライドさせることができる。
このように、汎用的なレールを用いることにより、簡易な構造で、上方位置Ｐ３と開位置Ｐ２との間で蓋を開閉可能とさせることができる。
【００４５】
上方位置Ｐ３にある蓋２２に対してさらに後方向に力を加えると、中間スライダ５２からガイドレール５１がカウンター３０の上面に接触しなくなるので、起立部材７０は下端部７１ｂ，７２ｂを中心として図７の右回りに回転する。すると、起立部材７１，７２により構成される平行クランクにより、起立部材の後方延出部７１ｄ，７２ｄがカウンター支持金具の下端部４１ａに当接するまで、レール５０とともに蓋２２を後方向に向けて円弧状の経路で移動させる。同後方延出部７１ｄ，７２ｄがカウンター支持金具の下端部４１ａに当接すると、蓋２２は図８で示した閉位置Ｐ１となる。ここでも、蓋２２は姿勢を変えずに移動するので、蓋の載置面２２ａは物を載置したまま所定の移動経路で上方位置Ｐ３から閉位置Ｐ１まで下方へ移動し、洗浄槽の開口部２１ａを覆う。
このように、上記起立部材とレールを用いることにより、蓋をスムーズに開閉させることができる。
【００４６】
その後は、操作パネル２４を操作することにより、洗浄槽の収容部２１ｂに収容した収容物を洗浄することができる。その際、開口部２１ａを塞ぐ内蓋２３を上から蓋２２で押さえているので、洗浄用の水が洗浄槽２１の外に出ることが確実に防がれる。
なお、乾燥機能も有している食器洗浄乾燥機である場合には、さらに洗浄槽内に収容した収容物を乾燥させることができる。
【００４７】
以上説明したように、本発明によると、蓋の上に物を置いたまま蓋を開けることができ、かつ、容易にシンクから食器等の物を取り出して食器洗浄機の洗浄槽内に入れることが可能となる。従って、非常に便利で有用な食器洗浄機およびシステムキッチンを提供することができる。
【００４８】
（３）変形例：
本発明は、様々な変形例が考えられる。
例えば、食器洗浄機の代わりに、乾燥させる物を収容する収容槽と同収容槽の開口部を覆う蓋とを備えて収容槽に収容された収容物を乾燥させる食器乾燥機にも、本発明を適用可能である。保管する食器を収容する収容槽と同収容槽の開口部を覆う蓋とを備えて収容された収容物を保管する食器保管用機器にも、本発明を適用可能である。さらに、食器を加熱して滅菌する機器、食器を消毒する機器、等、食器等の物を収容する清浄槽と同清浄槽の開口部を覆う蓋とを備えて収容された収容物を清浄する食器清浄用機器にも、本発明を適用可能である。
また、シンクとは分離されてシステムキッチンとは一体にされていない食器洗浄機等の食器清浄用機器にも、本発明を適用可能である。
蓋をスライドさせる際には、蓋の姿勢を変えずに曲線状に移動させてもよい。
【００４９】
また、図１０、図１１に示すように構成してもよい。図１０は変形例にかかるシステムキッチンにおいて蓋が所定の閉位置にあるときのシステムキッチンを図４のＡ２に相当する方向から見て示す要部断面図であり、図１１は蓋が所定の開位置にあるときのシステムキッチンを図４のＡ２に相当する方向から見て示す要部断面図である。なお、上述した実施形態と構成が概略同じものには同じ符号を付して説明を省略する。
本システムキッチンは、弾性部材として、上記つる巻きばね７３の代わりにつる巻きばね（付勢手段）７４を備えている。スイング支持金具４３の上面における後寄りの位置から上方に延出部４３ｂが延出し、同延出部４３ｂの側面（右側面）にばね７３の一端を掛止する掛止部４３ｂ１が形成されている。また、後側の起立部材７２には、後方延出部７２ｄが延出した位置と上端部７２ａとの間で側面（右側面）にばね７３の他端を掛止する掛止部７２ｅが形成されている。なお、左側のスイング支持金具４３と起立部材７０とつる巻きばねの構造も同様である。
【００５０】
蓋２２が閉位置Ｐ１にあるとき（後方延出部７２ｄがカウンター支持金具の下端部４１ａの上面に当接しているとき）、掛止部７２ｅは掛止部４３ｂ１よりも低くなり、両掛止部４３ｂ１，７２ｅに掛止されたばね７４には前方から上側に傾いた力Ｆ１１が掛止部７２ｅに加えられる。すると、起立部材の上端部７２ａからレール支持部材６０へは同上端部７２ａの回転の接線方向（上方）に力Ｆ１２が加えられるので、閉位置Ｐ１にある蓋２２に対して上方に力が加えられる。従って、蓋を開けるときの力が少なくて済むようになる。特に、蓋を人工大理石製とすると重くなりがちであるが、蓋が重くなってもばね７４の力の補助により、蓋を開けるのが容易となる。
一方、蓋２２が上方位置Ｐ３〜開位置Ｐ２にあるとき（前方延出部７２ｃがカウンター支持金具の下端部４１ａの上面に当接しているとき）、ばね７４は前方から下側に傾いた力Ｆ１３（Ｆ１２＜Ｆ１１）を掛止部７２ｅに加える。すると、中間スライダ５２からガイドレール５１へ加えられる後方向の摩擦力によって上端部７２ａに後方向の力Ｆ１４が生じても、前方向の力Ｆ１３により起立部材７２は即座には右回りに回転しない。そして、上方位置Ｐ３にある蓋２２に対してさらに後方向に力を加えられたとき、ばね７４から掛止部７２ｅへ加えられる前方向への力により、起立部材７２が急激に右回りに回転することがなく、蓋２２をスムーズに閉じることができる。特に、蓋が重い場合に好適である。
【００５１】
むろん、図１２に示すように、一端をカウンター支持金具の下端部４１ａの上面に固定して他端を起立部材７２の上端部７２ａに当接させたばね７５を設け、起立部材の上端部７２ａに上方への力を作用させ、同上端部７２ａを押し上げるようにしてもよい。すると、閉位置にある蓋に対してより強い力を上方に加えることができるので、よりスムーズに蓋を開閉することが可能となる。
【００５２】
また、図１３、図１４に示すように構成しても、蓋の上に物を置いたまま蓋を開けることができ、かつ、容易にシンクから食器等の物を取り出して食器洗浄機の洗浄槽内に入れることが可能となる。図１３は別の変形例にかかるシステムキッチン１００において蓋８２が所定の閉位置Ｐ１１にあるときの外観を示す斜視図であり、図１４は蓋８２が所定の開位置Ｐ１２にあるときの外観を示す斜視図である。両図とも、蓋８２の所定の上方位置Ｐ１３を二点鎖線により示している。なお、上述した実施形態と構成が概略同じものには同じ符号を付して説明を省略する。
図に示すように、蓋８２は、閉位置Ｐ１１から上方位置Ｐ１３まで上方へ移動した後に、上下方向に配置された所定の軸部材８５を中心として水平方向に回転することにより洗浄槽８１の開口部８１ａの上方を開放可能とされている。同軸部材８５は、金属製とされ、円柱状に形成されている。そして、上端が蓋８２の下面に固定されるとともに、掛止部材８６に掛止されている。
【００５３】
図１５は上記掛止部材８６の本体部８６ａを断面視して軸部材８５と蓋８２を前から見て示した正面図であり、図１６は軸部材８５と蓋を右から見て示した右側面図である。図１５の左側は蓋８２が閉位置Ｐ１１にあるときの様子を示し、図１５の中央は蓋８２が上方位置Ｐ１３にあるときの様子を示し、図１５の右側は蓋８２が開位置Ｐ１２にあるときの様子を示している。掛止部材の本体部８６ａは、金属製とされ、軸部材８５の直径よりごく僅かに大きい直径とされた貫通穴８６ｂが上下方向に貫通して形成されるとともに、左側から右方向へ同貫通穴８６ｂを横切る穴８６ｃが形成されている。軸部材８５は、下端から貫通穴８６ｂに挿入されている。軸部材８５には、蓋８２が閉位置Ｐ１１にあるときを基準として、穴８６ｃより下方で前側から後方向へ窪んだ凹部８５ａが形成され、この凹部８５ａの位置で軸部材８５を一周するように環状とされて同凹部８５ａに繋がる環状溝８５ｂが形成されるとともに、右側面にて同環状溝８５ｂの位置から上方に向かって直線状とされた直線溝８５ｃが形成されている。この直線溝８５ｃの上端は蓋８２が閉位置Ｐ１１にあるときの位置に合わせられ、同直線溝８５ｃの下端は蓋８２が上方位置Ｐ１３にあるときの位置に合わせられている。凹部８５ａは、環状溝８５ｂや直線溝８５ｃより深くされている。
穴８６ｃには弾性部材であるばね８６ｄが挿入され、同ばね８６ｄが挿入された状態で同穴８６ｃにさらに金属製の掛止片８６ｅが挿入されている。掛止片８６ｅは、左右方向に対して垂直な断面が円形とされるとともに、左端部が丸められて軸部材の凹部８５ａに挿入可能となっている。このとき、ばね８６ｄは掛止片８６ｅを左方に付勢し、掛止片８６ｅの左端が軸部材８５の側面に当接している。
【００５４】
蓋８２の上面は物を載置可能な載置面とされ、同載置面の中央部分に取っ手８２ｂが上方に向かって取り付けられている。蓋８２が閉位置にあるとき、食器洗浄機８０の使用者が取っ手８２ｂを持って上方への力を加えると、軸部材８５は掛止片８６ｅが浅く挿入された直線溝８５ｃの向きに沿って上方に移動するので、蓋８２は姿勢を変えずに上方へスライドする。掛止片８６ｅの挿入した位置が環状溝８５ｂとなると、蓋８２は上方位置Ｐ１３となる。このとき、使用者が取っ手８２ｂを持って左方向に力を加えると、軸部材８５は掛止片８６ｅが浅く挿入された環状溝８５ｂの向きに沿って左回りに回転するので、蓋８２は軸部材８５を中心として水平方向であって左回りに回転する。掛止片８６ｅの挿入した位置が凹部８５ａとなると、掛止片８６ｅが凹部８５ａに深く挿入するので、蓋８２は９０°（度）程度回転した位置で保持され、洗浄槽の開口部８１ａを開放する。このときの蓋８２の位置が開位置Ｐ１２である。
【００５５】
一方、蓋８２が開位置にあるとき、使用者が取っ手８２ｂを持って右方向に力を加えると、掛止片８６ｅは左端が丸められているため凹部８５ａから抜けて環状溝８５ｂに浅く挿入した状態となり、軸部材８５は環状溝８５ｂの向きに沿って右回りに回転する。すると、蓋８２は軸部材８５を中心として水平方向であって右回りに回転する。蓋８２が上方位置Ｐ１３となったときに同蓋８２に下方への力を加えると、軸部材８５は掛止片８６ｅが浅く挿入された直線溝８５ｃの向きに沿って下方に移動するので、蓋８２は姿勢を変えずに下方へスライドする。掛止片８６ｅの挿入した位置が直線溝８５ｃの上端となると、蓋８２は閉位置Ｐ１１となり、洗浄槽の開口部８１ａを覆う。
ここで、開閉操作を行ったときに蓋の上面（載置面）は水平に保たれているので、蓋の上に物を置いたまま蓋を開けることができ、便利である。また、蓋は上方へスライドし、かつ、閉位置Ｐ１１から見てシンク１１が配置された方向とは異なる左方向が開位置Ｐ１２とされているため、シンクに置かれた物を取り出して食器洗浄機の洗浄槽内に入れることは容易である。なお、軸部材８５の下端にばね等を設け、蓋８２を上方に付勢するようにすれば蓋の開位置Ｐ１２への移動を容易にすることができる。このように、簡易な構成で有用な食器洗浄機およびシステムキッチンを提供することができる。
【００５６】
さらに、図１７、図１８に示すように構成しても、蓋の上に物を置いたまま蓋を開けることができ、かつ、容易にシンクから食器等の物を取り出して食器洗浄機の洗浄槽内に入れることが可能となる。図１７は別の変形例にかかるシステムキッチン１００において蓋８２が所定の開位置にあるときの外観を示す斜視図であり、図１８は食器洗浄機１２０の電気回路の概略を示すブロック図である。
図に示すように、蓋１２２は、所定の閉位置から所定の開位置まで上方へスライド可能とされている。本例では、蓋は水平方向に回転せず、動力を用いて蓋１２２を閉位置から開位置まで上昇可能な昇降機構１２８を設けてある。
軸部材１２９は、金属製とされ、円柱状に形成されて、上下方向に配置されている。そして、上端が蓋１２２の下面に固定されるとともに、洗浄槽１２１の右側面に取り付けられた昇降機構１２８に保持されている。
【００５７】
操作パネル１２４には、上昇操作キー１２５ａや下降操作キー１２５ｂ等からなる操作キー１２５、制御基板１２６、等が取り付けられている。
制御基板１２６は、マイコン１２７を中心とする制御回路が形成されており、操作キー１２５や昇降機構１２８が電気的に接続されている。マイコン１２７は、内部のバスで互いに接続されたＣＰＵ１２７ａ、ＲＯＭ１２７ｂ、ＲＡＭ１２７ｃ、タイマ回路１２７ｅ、Ｉ／Ｏ１２７ｆ〜ｈ等を備えており、食器洗浄機１２０の動作を制御する。各操作キー１２５ａ，ｂの一端は電源ラインに接続され、他端は抵抗素子１２６ａ，ｂの一端とＩ／Ｏ１２７ｆ，ｇとに接続されている。抵抗素子１２６ａ，ｂの他端は、グランドに接続されている。
昇降機構１２８は、シーケンス制御用の回路を備え、シーケンス制御により軸部材１２９を上昇させたり下降させたりする機構である。同昇降機構１２８は、Ｉ／Ｏ１２７ｈに接続されている。実際には、Ｉ／Ｏ１２７ｈは複数のＩ／Ｏからなり、それぞれのＩ／Ｏが別々に昇降機構１２８に接続されている。そして、マイコン１２７から蓋の上昇指令を表す信号が入力されると、蓋の開位置を上限として動力により軸部材１２９を所定の速度で上昇させ、蓋１２２を上方へ平行移動させる。一方、マイコン１２７から蓋の下降指令を表す信号が入力されると、蓋の閉位置を下限として動力により軸部材１２９を所定の速度で下降させ、蓋１２２を下方へ平行移動させる。
【００５８】
図１９は、マイコン１２７が行う昇降処理をフローチャートにより示している。本フローは、電源オン時に定期的に繰り返し実行される。
まず、上昇操作キー１２５ａの状態を表すＩ／Ｏ１２７ｆの電圧レベルを読む（Ｓ１０）。次に、読んだ電圧レベルに応じて処理を分岐させる（Ｓ１２）。Ｉ／Ｏ１２７ｆの入力がＨであるとき、上昇操作キー１２５ａが押されていることになるので、Ｓ１４に進んで蓋の上昇指令を表す信号をＩ／Ｏ１２７ｈに書き込み、フローを終了する。すると、昇降機構１２８は軸部材１２９を移動させることにより蓋１２２を上昇させる。
Ｉ／Ｏ１２７ｆの入力がＬであったとき、Ｓ１６に進み、下降操作キー１２５ｂの状態を表すＩ／Ｏ１２７ｇの電圧レベルを読む。次に、読んだ電圧レベルに応じて処理を分岐させる（Ｓ１８）。Ｉ／Ｏ１２７ｇの入力がＨであるとき、下降操作キー１２５ｂが押されていることになるので、Ｓ２０に進んで蓋の下降指令を表す信号をＩ／Ｏ１２７ｈに書き込み、フローを終了する。すると、昇降機構１２８は軸部材１２９を移動させることにより蓋１２２を下降させる。
【００５９】
Ｉ／Ｏ１２７ｇの入力もＬであったとき、Ｓ２２に進み、蓋の上昇指令の中止を表す信号と蓋の上昇指令の中止を表す信号をＩ／Ｏ１２７ｈに書き込むことにより、上昇指令を表す信号と下降指令を表す信号の出力をリセットし、フローを終了する。すると、昇降機構１２８が軸部材１２９を移動させないので、蓋１２２は停止状態になる。
すなわち、昇降処理を行うマイコン１２７と昇降機構１２８と軸部材１２９は、上昇手段を構成する。
以上の構成により、蓋が自動的に開位置まで上昇するので、手で蓋を持ち上げる必要がなくなり、蓋が重い場合に特に便利である。そして、蓋の上面（載置面）が所定の移動経路で閉位置から開位置まで上方へ平行移動することにより洗浄槽の開口部は開放されるので、蓋の載置面に物を置いたまま蓋を開けることができる。また、蓋の載置面の移動方向は上方であるため、シンクに置かれた物を取り出して食器洗浄機の洗浄槽内に入れることは容易である。さらに、蓋を閉位置から上方へ移動させた後に水平方向へ移動させる場合よりも、蓋を開閉させる構造を簡素化させることができる点で有用であるし、キッチンのスペースが狭い場合にそのスペースをより効率よく使用することができる点でも有用である。
なお、安全性を考慮し、操作キー１２５を操作している間のみ蓋を上昇又は下降させる構成としても良い。
【００６０】
また、制御基板を設ける場合、例えば閉位置にある蓋の下面に接触するように重量センサを配置するとともに、操作パネルにブザーを取り付け、重量センサにより蓋に載せられた物の重量を検出し、蓋に載せられた物が所定の重量以上またはより大であるときにブザーから所定の音声を出力してもよい。すると、過荷重の目安として蓋に載せられた物が所定の重量以上またはより大であることを知ることが可能となるので、さらに便利となる。
【００６１】
また、例えばシーケンス制御により洗浄槽内の洗浄の動作を行う洗浄駆動機構を設けるとともに、閉位置まで下方に移動した蓋の下面で押されるように押ボタンスイッチを配置し、押ボタンスイッチが押されたときのみ洗浄駆動機構を動作させて洗浄槽に収容された収容物を洗浄するようにしてもよい。すると、蓋が開いているときには食器洗浄機は動作しないので、洗浄槽から水が外部に出るような不都合なことが起こらなくなる。
【００６２】
さらに、例えば蓋の上面に所定の下降位置と所定の上昇位置の間で上下動可能とされた開閉操作用の取っ手を設け、同取っ手を上下に移動させるための取っ手駆動機構も設けるとともに、操作パネルに操作者の標準位置を含む所定の範囲に人または物体が入ったことを検知する赤外線センサを取り付けてもよい。そして、赤外線センサにより同範囲に赤外線を発する人または物体が入ったことを検知し、人等が入ったことが検知されたときに取っ手駆動機構により取っ手を上昇位置まで上昇させてもよい。すると、食器洗浄機の使用者が蓋を開閉操作する標準位置に入ると自動的に取っ手が上方へ引き出されるので、さらに便利となる。
【００６３】
さらに、図２０〜図２２に示すように蓋の上面の一部のみを載置面としても、蓋の載置面に物を置いたまま蓋を開けることができ、かつ、容易にシンクから食器等の物を取り出して食器洗浄機の洗浄槽内に入れることが可能となる。図２０は別の変形例にかかるシステムキッチン１００において食器洗浄機２００の蓋２２０が所定の閉位置Ｐ２１にあるときの外観を示す斜視図であり、図２１は蓋２２０が同閉位置Ｐ２１にあるときにシステムキッチン１００を図２０のＡ３の方向から見て示した要部断面図であり、図２２は蓋２２０が所定の開位置Ｐ２２にあるときにシステムキッチン１００を図２０のＡ３に相当する方向から見て示した要部断面図である。
図に示すように、蓋２２０は、水平とされて上面に物を載置可能な載置面２２１ａが形成された平板状の載置部２２１、この載置部の後側に配置されて閉位置Ｐ２１にあるときに水平とされる平板状の傾動部２２２、載置部２２１が上下に移動するときに載置面２２１ａを水平に保つ部材（水平保持機構）２２３〜２２５とから構成されている。
【００６４】
載置部２２１における上面（載置面２２１ａ）には、上方に向かって突出した開閉操作用の取っ手２２１ｂ（例えば金属製）が後側縁部の中央部分に設けられている。
傾動部２２２の後側の縁部とカウンター３０の開口周辺の後側縁部３０ｃとには、上面にヒンジ２２２ａが２個取り付けられている。従って、傾動部２２２の後側の縁部はカウンター３０に対して回転可能（図２１の状態からは右回りに回転可能、図２２の状態からは左回りに回転可能）とされている。また、傾動部２２２の前側の縁部と載置部２２１の後側縁部とには、下面にヒンジ２２２ｂが２個（図２１では右側のヒンジのみ図示）取り付けられている。従って、傾動部２２２の前側の縁部は載置部２２１に対して回転可能（図２１の状態からは左回りに回転可能、図２２の状態からは右回りに回転可能）とされている。
【００６５】
カウンター３０の下面には、上記カウンター支持金具４１と同様のカウンター支持金具２４１が固定されている。カウンター支持金具２４１における下端部の上面であって洗浄槽２０１の開口部２０１ａの左右外側に、傾動部２２２の前寄りの下方であってそれぞれ上方に向かって延出した金属製のスイング支持金具２２３（図２１では左側の金具のみ図示）が取り付けられている。載置部２２１の前よりの下面であって洗浄槽２０１の開口部の左右外側に、それぞれ下方に向かって延出した金属製のスイング支持金具２２４（図２１では左側の金具のみ図示）が取り付けられている。棒状のクランク部材２２５の後端部は金具２２３に対して水平かつ左右方向を軸として回転可能に取り付けられ、同クランク部材２２５の前端部は金具２２３に対して水平かつ左右方向を軸として回転可能に取り付けられている。ここで、クランク部材２２５の向きはヒンジ２２２ａ，ｂを結ぶ直線と平行とされているので、クランク部材２２５と傾動部２２２とから平行クランクが構成される。
また、カウンター支持金具２４１の下端部２４１ａの上面であって洗浄槽の開口部２０１ａの右側に、載置部２２１の前寄りの下方であってそれぞれ上方に向かって延出した金属製の金具２２６が取り付けられている。同金具２２６には、後方向に向けられた金属製の棒状部材２２７が水平かつ左右方向を軸として回転可能に取り付けられている。スイング支持金具２２４の下部には、棒状部材２２７の後側縁部２２７ａを挿入可能な凹部２２４ａが形成されている。
【００６６】
蓋２２０が閉位置Ｐ２１にあるとき、取っ手２２１ｂを持って上方に力を加えると、クランク部材２２５と傾動部２２２とから構成される平行クランクにより、蓋２２０は所定の移動経路で閉位置Ｐ２１から開位置Ｐ２２まで上方へ移動し、洗浄槽の開口部２０１ａを開放する。なお、傾動部２２２は前側縁部が上下して傾きが変わる。ここで、棒状部材の後側縁部２２７ａをスイング支持金具の凹部２２４ａに挿入すると、蓋２２０は開位置Ｐ２２で保持される。
このとき、載置部２２１は、後方向に向けて円弧状の経路で上方へ移動することになるが、向きが水平に保たれる。すなわち、載置面２２１ａは水平のままであるので、載置面２２１ａに物を置いたまま蓋を開けることができる。
一方、蓋２２０が開位置Ｐ２２にあるとき、棒状部材の後側縁部２２７ａをスイング支持金具の凹部２２４ａから外して前方向に力を加えると、上記平行クランクにより、蓋２２０は同じ経路で開位置Ｐ２２から閉位置Ｐ２１まで下方へ移動し、洗浄槽の開口部２０１ａを覆う。このときも、載置部２２１は、向きが水平に保たれるので、載置面２２１ａに物を置いたまま蓋を閉じることができる。
【００６７】
以上の構成により、蓋の載置面が所定の移動経路で閉位置から開位置まで上方へ移動することにより洗浄槽の開口部は開放されるので、蓋の載置面に物を置いたまま蓋を開けることができる。また、蓋の載置面の移動方向は上方であるため、シンクに置かれた物を取り出して食器洗浄機の洗浄槽内に入れることは容易である。
なお、蓋を閉位置から上方へ移動させた後に別の方向へ移動させると蓋に物を載せることができる載置面をより広くとることができる点で有用である一方、本変形例ではキッチンのスペースが狭い場合にそのスペースをより効率よく使用することができる点で有用である。また、蓋に傾動部を設ける場合よりも物を載せることができる載置面をより広くとることができる点でも有用である。
【００６８】
以上説明したように、本発明によると、種々の態様により、蓋の上に物を置いたまま蓋を開けることができ、かつ、容易にシンクから食器等の物を取り出して食器洗浄機等の食器洗浄等機器内に入れることが可能な食器洗浄等機器およびシステムキッチンを提供することができる。
【図面の簡単な説明】
【図１】本発明の一実施形態にかかるシステムキッチンの外観を示す斜視図である。
【図２】洗浄槽と内蓋の外観を示す分解斜視図である。
【図３】蓋の動きを右側から見て示す右側面図である。
【図４】開位置にある蓋とともに洗浄槽とカウンターを上から見て示した上面図である。
【図５】システムキッチンを図４のＡ１の方向から見て示す要部断面図である。
【図６】システムキッチンを図４のＡ１に相当する方向から見て示す要部断面図である。
【図７】システムキッチンを図４のＡ２の方向から見て示す要部断面図である。
【図８】システムキッチンを図４のＡ２に相当する方向から見て示す要部断面図である。
【図９】左側のレールを右側から見て示した右側面図である。
【図１０】変形例にかかるシステムキッチンを図４のＡ２に相当する方向から見て示す要部断面図である。
【図１１】変形例にかかるシステムキッチンを図４のＡ２に相当する方向から見て示す要部断面図である。
【図１２】別の変形例にかかるシステムキッチンを図４のＡ２に相当する方向から見て示す要部断面図である。
【図１３】別の変形例において蓋が閉位置にあるときの外観を示す斜視図である。
【図１４】別の変形例において蓋が開位置にあるときの外観を示す斜視図である。
【図１５】掛止部材の本体部を断面視して軸部材と蓋を前から見て示す正面図である。
【図１６】軸部材と蓋を右から見て示す右側面図である。
【図１７】別の変形例において蓋が開位置にあるときの外観を示す斜視図である。
【図１８】食器洗浄機の電気回路の概略を示すブロック図である。
【図１９】昇降処理を示すフローチャートである。
【図２０】別の変形例において蓋が閉位置にあるときの外観を示す斜視図である。
【図２１】蓋が閉位置にあるときにシステムキッチンを図２０のＡ３の方向から見て示す要部断面図である。
【図２２】蓋が開位置にあるときにシステムキッチンを図２０のＡ３に相当するの方向から見て示す要部断面図である。
【符号の説明】
１１…シンク
２０，８０，１２０，２００…食器洗浄機（食器洗浄等機器）
２０ｂ…収容物
２１，８１，１２１，２０１…洗浄槽（収容槽）
２１ａ，８１ａ，２０１ａ…開口部
２１ｂ…収容部
２１ｃ…上面
２１ｄ…内蓋収容部
２１ｅ…固定部
２２，８２，１２２，２２０…蓋
２２ａ，２２１ａ…載置面
２２ｂ，８２ｂ，２２１ｂ…取っ手
２３…内蓋
２４，１２４…操作パネル
３０…カウンター
３０ａ…上面
４１，２４１…カウンター支持金具
４３…スイング支持金具
５０…レール
６０…レール支持部材
７１，７２（７０）…起立部材
７３…つる巻きばね
７４，７５…つる巻きばね（付勢手段）
８５…軸部材
８６…掛止部材
１００…システムキッチン
１２５…操作キー
１２６…制御基板
１２７…マイコン
１２８…昇降機構
１２９…軸部材
２２１…載置部
２２２…傾動部
２２３，２２４…スイング支持金具
２２５…クランク部材
Ｐ１，Ｐ１１，Ｐ２１…所定の閉位置
Ｐ２，Ｐ１２，Ｐ２２…所定の開位置
Ｐ３，Ｐ１３…所定の上方位置
Ｐ４…操作者の標準位置
【図１】
2004329250.tif 000003
【図２】
2004329250.tif 000004
【図３】
2004329250.tif 000005
【図４】
2004329250.tif 000006
【図５】
2004329250.tif 000007
【図６】
2004329250.tif 000008
【図７】
2004329250.tif 000009
【図８】
2004329250.tif 000010
【図９】
2004329250.tif 000011
【図１０】
2004329250.tif 000012
【図１１】
2004329250.tif 000013
【図１２】
2004329250.tif 000014
【図１３】
2004329250.tif 000015
【図１４】
2004329250.tif 000016
【図１５】
2004329250.tif 000017
【図１６】
2004329250.tif 000018
【図１７】
2004329250.tif 000019
【図１８】
2004329250.tif 000020
【図１９】
2004329250.tif 000021
【図２０】
2004329250.tif 000022
【図２１】
2004329250.tif 000023
【図２２】
2004329250.tif 000024